(57)【特許請求の範囲】
【請求項１】
電子機器の筐体に内蔵され、ディジタル情報の記録領域を有する非接触ＩＣモジュールが埋め込まれ且つその表面に前記非接触ＩＣモジュールが有する無線送受信回路とＩＣ部との接点部分と並列接続された導電部材が形成された固体型のメディアへの情報書込又は該メディアからの情報読み出しを行うリーダライタであって、
１又は複数の前記メディアを収容して担持するための１又は複数の窪みが形成されたメディア担持体と、
前記窪みの部分及び前記筐体の外部方向に各々が覆域をもつ１又は複数のアンテナを含む無線送受信回路と、
前記窪みの部分に収容された前記メディア又は前記筐体の外部の前記覆域に存する他のメディアに対するディジタル情報の読出制御及び書込制御を前記無線送受信回路を通じて行うとともに、外部電子回路との間のディジタル情報の受け渡しを所定のインタフェースを通じて行う制御部と、を有することを特徴とする、
リーダライタ。
【請求項２】
請求項１記載のリーダライタによってディジタル情報の読出制御又は書込制御がなされる非接触ＩＣモジュールをモジュール媒体に埋め込んで成り、
前記モジュール媒体の表面部には人が視認可能な情報が記されており、
前記非接触ＩＣモジュールには前記視認可能な情報に対応する内容を含む前記非接触リーダライタが読み取り可能なディジタル情報が記録されていることを特徴とする、
非接触ＩＣメディア。
【請求項３】
前記モジュール媒体には、自らの位置が変位することにより前記メディア担持体への係合と当該メディア担持体からの離脱とを許容する係合機構が一体に形成されていることを特徴とする、
請求項２記載の非接触ＩＣメディア。
【請求項４】
前記モジュール媒体には、前記非接触ＩＣモジュールが有する無線送受信回路とＩＣ部の接点部分と並列接続された導電部材が設けられている、
請求項３記載の非接触ＩＣメディア。
【発明の詳細な説明】
【０００１】
【発明の属する技術分野】
本発明は、非接触ＩＣメディア及びこの非接触ＩＣメディアを応用したシステムに関する。ここで、「非接触ＩＣメディア」とは、例えば、ＩＳＯ（International Organisation for Standadisation）のＩＥＣ（International Electrotechnical commision）  ＪＴＣ１（Joint Technical Committee 1）／ＳＣ（Sub-Committe）１７において国際標準化ないし国際標準化審議がなされているコンタクトレスＩＣカード（「Contactless IC Card」）の仕様をベースにしたコア・モジュール、つまり非接触ＩＣモジュールを搭載した媒体全般を指す。
この非接触ＩＣメディアを応用したシステムの具体例としては、この非接触ＩＣメディアを携帯通信装置、例えば既存の携帯電話無線機や携帯型コンピュータ装置等に担持させて種々のアプリケーションを実行させたり、あるいは外部に存する非接触ＩＣメディアに携帯通信装置をかざして記録情報を読み取らせ、所要の処理を実行させたり、非接触ＩＣメディアあるいはそれを担持した非接触リーダライタを通じて情報伝達を行うこと等が挙げられる。
【０００２】
【従来の技術】
例えばエレクトリックコマースにおける電子決済用カードや、身分証明書カードのように、セキュリティ性が要求されるカード型ツールとして、電気的な接点を有する接触型ＩＣカードが実用化されている。接触型ＩＣカードは、接点を通じてリーダライタに直接電気的に接続される構造をもつため、一般的には動作は安定している。しかし、リーダライタへのカード挿抜には、物理的な接触を伴うため、接触不良等のトラブルを起こす可能性がある。そこで、最近は、物理的な接触がなくとも記録情報の伝達が可能な非接触ＩＣメディアを搭載した非接触ＩＣカードが登場し、実用化のための検討がされている。
【０００３】
非接触ＩＣカードは、通常、カード媒体上に、アンテナ（コイル）を含む無線送受信回路とプロセッサ及びメモリを含むＩＣ部とで構成される非接触ＩＣメディアを埋め込んで構成される。ＩＣ部にプロセッサを含まない、いわゆるメモリカードとして構成されたものもある。
【０００４】
非接触ＩＣカードにおけるリーダライタとの結合は、無線送受信回路を通じて行われ、動作に必要な電源電力やクロックは、通常、リーダライタ側から供給される。リーダライタからの電力成分等を含む情報の送信には、例えば１３．５６［ＭＨｚ］の無線搬送波をＡＳＫ（Amplitude Sift Keying）変調した信号が用いられ、一方、カード側からの情報の送信には、例えば１３．５６［ＭＨｚ］の信号を複数合わせた副搬送波（８４７．５／４２３．７［ｋＨｚ]）を負荷変調した信号が用いられる。同一のリーダライタの近傍に複数の非接触ＩＣカードが混在することが予想されるため、カード間のデータ衝突を防止する、アンチコリジョンと呼ばれる技術も確立している。現在、カード側からリーダライタへの返信の際の変調方式を変えたり、返信のタイミングを変えたりすることによって、数枚のカード識別が可能になっている。なお、このアンチコリジョン技術については、特開平５−２１７０３２号公報、特開平５−２６６２６７号公報の記載を参考にすることができる。
【０００５】
また、近年は、ＰＨＳ（Personal Handyphon System）や移動電話等の携帯電話無線機や携帯コンピュータ端末が急激に普及し、多くの者がこれらを携行するようになっている。そこで、ＩＣカードを用いて携帯電話無線機等に種々の付加価値を付ける試みもなされている。例えば、特開平８−８７６５５号公報には、取引銀行の情報を記録したＩＣカードを携帯電話無線機に挿入し、ＩＣカードの所有者（携帯電話無線機の所持者）が物品の購入や有償サービスの提供をする際に、物品等の提供装置が携帯電話無線機を通じてＩＣカードの記録情報を取得し、取得した記録情報を用いて自動的に電子決済を行うようにした情報処理システムが開示されている。この場合のＩＣカードは接触型のＩＣカードであり、携帯電話無線機側には、電気的な接点をもつ接触型のリーダライタが設けられる。
【０００６】
【発明が解決しようとする課題】
上述のように、非接触ＩＣカードでは電気的な接点を必要としないため、接触型ＩＣカードで用いるものよりも、ＩＣモジュールの小型化、薄型化、量産化が可能となる。また、複数の非接触ＩＣカードが同一のリーダライタの近傍に混在しても、リーダライタ側でこれらを峻別できるので、接触型のＩＣカードと同様の利用形態が可能となる。さらに、非接触ＩＣカードに記録された情報を読み出すためのリーダライタも、接触型ＩＣカードのものよりも小型・軽量化が可能になる。
【０００７】
しかしながら、従来の非接触ＩＣカードは、カード単位で情報を記録するのが殆どであった。つまり、その用途がカード毎に決定されていた。そのため、ユーザは、利用目的に応じて複数枚の非接触ＩＣカードを所持し、使用時に、該当するものを探し出さなければならないという煩わしさがあった。
【０００８】
また、例えば上述の情報処理システムにおいて、接触型ＩＣカードに代えて非接触ＩＣカードを用いれば、リーダライタを小型化することができ、携帯電話無線機自体の軽量化も図れることが期待される。しかし、従来のこの種の用途におけるリーダライタは、あくまでも内蔵された接触型ＩＣカード（又は非接触ＩＣカード）のメモリ又は外部の非接触ＩＣカードとの間の情報交換のみであり、内蔵された接触型ＩＣカード（又は非接触ＩＣカード）及び外部の非接触ＩＣカードの双方との間の情報交換を行うことまでは想定されていない。
【０００９】
このように、従来、非接触ＩＣメディアは、カード状媒体に埋め込んでカード単位で使用されることが想定されている。しかし、本来、非接触ＩＣメディアは、従来のような使用形態に限定されなければならないものではない。また、その用途も、特定の分野のみならず、情報伝達が介在する様々な分野で汎用的に活用されることが期待できるものである。
【００１０】
そこで、本発明の課題は、汎用性に優れた非接触ＩＣメディアおよびこのような非接触ＩＣメディアを用いてより多くの付加価値を付けることができるようにするための応用システムを提供することにある。
【００１１】
【課題を解決するための手段】
本発明は、電子機器の筐体に内蔵され、ディジタル情報の記録領域を有する非接触ＩＣモジュールを埋め込んでなるメディアへの情報書込又は該メディアからの情報読み出しを行うリーダライタであって、筐体内部の所定部位及び前記筐体の外部方向に覆域をもつ１又は複数のアンテナを含む無線送受信回路と、個々の前記アンテナに対して１又は複数のメディアを前記所定部位で担持することができるメディア担持体と、前記所定部位に存するメディア、前記筐体の外部の前記覆域に存する他のメディア又は外部電子回路に対するディジタル情報の読出制御及び書込制御を前記無線送受信回路を通じて行うとともに、前記メディア、前記他のメディア、又は前記外部電子回路との間のディジタル情報の受け渡しを所定のインタフェースを通じて行う制御部と、を有することを特徴とする、リーダライタを提供する。
アンテナは、好ましくは、その筐体の最外周付近に埋め込んでおき、覆域が筐体によって縮減されないようにする。
【００１２】
このリーダライタにおいて、好ましくは、前記無線送受信回路は、前記所定部位に存するメディアとの間で無線送受信を行う第１の無線送受信回路と、前記他のメディアとの間で無線送受信を行う第２の無線送受信回路とを有し、前記制御部は、前記第１の無線送受信回路と前記第２の無線送受信回路のいずれか一方もしくは双方を選択し、選択した無線送受信回路を通じて前記メディア、前記他のメディア又は前記外部電子回路に対するディジタル情報の読出制御又は書込制御を行うように構成する。
【００１３】
前記メディアは、その表面に導電部材が形成された固体型のメディアを用いることができる。この場合、前記メディア担持体は、前記固体型のメディアを収容して担持するための１又は複数の窪みが形成されており、前記１又は複数のアンテナは、前記窪みの部分にも覆域をもつものであり、前記制御部は、前記窪みに収容されたメディアに対するディジタル情報の読出制御又は書込制御を前記無線送受信回路又は当該メディアの表面に形成された導電部材を通じて行うように構成する。
【００１４】
本発明は、また、上記のリーダライタによってディジタル情報の読出制御又は書込制御がなされる非接触ＩＣモジュールをモジュール媒体に埋め込んで成る非接触ＩＣメディアを提供する。この非接触ＩＣメディアは、前記モジュール媒体の表面部には人が視認可能な情報が記されており、前記非接触ＩＣモジュールには前記視認可能な情報に対応する内容を含む前記非接触リーダライタが読み取り可能なディジタル情報が記録されていることを特徴とするものである。
【００１５】
この非接触ＩＣメディアにおいて、前記モジュール媒体に、自らが変位することにより前記メディア担持体への係合と当該メディア担持体からの離脱とを許容する係合機構が一体に形成されているようにしても良い。また、前記モジュール媒体に、前記非接触ＩＣモジュールが有する無線送受信回路とＩＣ部の接点部分と接続された導電部材が設けられており、前記メディア担持体に係合したときに所定の外部電子回路の接点と前記導電部材とが導通するようにしても良い。
【００１６】
【発明の実施の形態】
次に、本発明の実施の形態を、図面を参照して詳細に説明する。
【００１７】
１．非接触ＩＣメディアの実施の形態
まず、本発明の非接触ＩＣメディアの実施の形態を説明する。
（１）シート状の非接触ＩＣメディア
図１（ａ）は、円形の非接触ＩＣメディア１１が複数形成されたシート１ａの正面図、同（ｂ）は、プラグ型の非接触ＩＣメディア１２を複数形成したシート１ｂの正面図である。
【００１８】
シート１ａ，１ｂには、それぞれ各非接触ＩＣメディア１１，１２の外周に沿って切り欠き部１１ａ，１２ａが形成されており、使用時に、非接触ＩＣメディア１１，１２を１つずつ切り取ることができるようになっている。個々の非接触ＩＣメディア１１，１２は、例えば薄型樹脂製のシート媒体に非接触ＩＣモジュールが埋め込まれ、さらに、その裏面部全面又は一部に、貼付部材が付着されている。シート媒体には、印刷等が可能になるように表面加工し、必要に応じて、防水加工等を施しておく。貼付部材は、セキュリティ性を保持する必要がある用途、例えば、ファイナンスカード等に貼り付けて使用する場合は、剥離不能な樹脂接着剤を用いてカード媒体に貼り付けるようにする。セキュリティ性が必ずしも要求されない用途に対しては、非接触ＩＣメディア１１，１２を貼り付けた部位から剥がした後に別の部位に再貼付が可能な素材とする。後者の貼付部材は、より簡便には遅乾性の粘着剤を用いることで実現が可能である。非接触ＩＣモジュールへの磁気シールドを行うシールド部材を介在させて磁性剤を付着させるような構造にしても良い。
【００１９】
非接触ＩＣモジュールは、アンテナを含む無線送受信回路とＩＣ部とを具備した公知のものを用いることができる。ＩＣ部には、少なくともディジタル情報の記録領域、及び、無線送受信回路と記録領域との間のデータの書込及び読み出しを制御する制御回路が形成される。
なお、記録領域へのディジタル情報の記録は、後述する非接触リーダライタを通じて事後的に行っても良く、あるいはモジュール生成時に事前に行っておいても良い。また、上記制御回路をリーダライタ側のもので代用できる場合は、ＩＣ部の制御回路を省略しても良い。
【００２０】
このような構造をもつ非接触ＩＣメディア１１，１２は、非接触リーダライタが、その記録領域からディジタル情報を読取できる任意の位置に貼り付けることができる。例えば、非接触ＩＣメディア１１，１２を非接触リーダライタ本体に付着して使用したり、非接触リーダライタを搭載した電子機器に付着して使用することができる。
【００２１】
また、非接触ＩＣメディア１１，１２に、個人や会社のプロフィール、住所、電話番号等を文字情報及び画像情報の形で記録して、これを名刺の台紙やパンフレットに貼り付けて相手方に配ったり、印刷対象となる情報を非接触ＩＣメディア１１，１２に記録して、これを印刷物に貼り付けたり、郵送対象となる情報を非接触ＩＣメディア１１，１２に記録して、これを郵便物に貼り付けたり、マルチメディアデータからなる会社の宣伝情報を記録した非接触ＩＣメディア１１，１２を「会社案内」のリーレットに貼り付けて配ったりする使用形態が可能となる。
【００２２】
名刺の台紙に貼り付ける場合は、非接触ＩＣメディア１１，１２の表面に自社のロゴマーク等を印刷し、これを台紙の所定位置に貼り付けるようにすることで、通常の名刺と違和感のない「電子名刺」を実現することができる。
【００２３】
電子名刺を実現する場合の利点は、下記のとおりである。
・名刺情報を電子機器で編集・管理するときのデータの手入力が不要になる。
・電話番号情報をもとに電話自動ダイヤルを行う装置や、住所情報をもとにナビゲーションの行き先設定等を行う装置に、名刺情報をそのまま利用することができる。
・台紙表面に印刷した情報以外の会社案内、製品カタログ、業務案内、お知らせ、契約書等の情報も併せて記録することができる。
・音声情報もディジタルデータとして名刺情報と共に記録することで、個人情報や会社情報の多面的な表現が可能になる。
・客先に出向くときは、電子名刺１枚を持参して客先のリーダライタに読み取らせれば良く、パンフレットの製本やその持ち運びが不要となる。
・用途によって記録情報を変えた非接触ＩＣメディアを任意に選択できる。例えば名前や住所、電話番号等のみを配れば良い用途の場合は小容量の電子名刺を用意するだけで足り、すべての情報を記録したメモリ容量が大きい高価な電子名刺を常に配る必要がない。
【００２４】
また、新聞や雑誌のような定期刊行記事情報や、写真画像やグラフィック画像、音声、ＢＧＭ、鳥の声等の音データ等を含むディジタルコンテンツを複数の非接触ＩＣメディア１１，１２に同時に記録し、これを１つずつ販売したりする形態も可能である。このような非接触ＩＣメディア１１，１２を受け取った側では、例えば後述する非接触リーダライタや、通常の非接触リーダライタを通じて、記録領域からディジタル情報を読み取り、所要の情報処理や表示装置への表示処理等を行う。
【００２５】
なお、本発明の非接触ＩＣメディアは、シート１ａ，１ｂに埋め込む形態のほか、単一の非接触ＩＣモジュールをシート媒体に埋め込む形態も可能である。例えば非接触ＩＣモジュールを葉書に埋め込んで「ＩＣ葉書」としたり、上述の名刺台紙に非接触ＩＣモジュールを埋め込んで「ＩＣ名刺台紙」とすることが可能である。
【００２６】
（２）スティック状の非接触ＩＣメディア
図２は、スティック状の非接触ＩＣメディアの一例を示した外観図である。
この非接触ＩＣメディア１３は、スティック形筐体、例えば筆記具のようなペン形筐体の上端部と同一形状の窪み１ｄを設けたスティック状媒体１ｃに、非接触ＩＣモジュールを埋め込んで構成される。
このような構造の非接触ＩＣメディア１３は、ペン形筐体の上端部を、図示しない非接触型のリーダライタに近づけるだけで、その記録情報を読み出したり、あるいはディジタル情報を記録させたりすることができる。ＩＣ部にプロセッサを搭載せず、データ記録領域のみを形成したものは、例えばとりあえずデータを記録しておきたい用途や再生専用のディジタル情報の記録等に使用することができる。ＩＣ部にデータ記録領域のほか、プロセッサとアプリケーションプログラムの記録領域とを形成した場合には、より高度の情報処理、例えば、プロセッサによるアプリケーションプログラムの実行結果をリーダライタ側に伝達したり、あるいはそれをデータ記録領域に一時的に保存しておくような実施の形態が可能となる。
【００２７】
（３）固体型の非接触ＩＣメディア
本発明の非接触ＩＣメディアは、シート状、スティック状のみならず、ある形状の固体型メディアとしての実施の形態も可能である。
ここでは、一例として、コイン型メディアの例を示す。このコイン型メディアは、携帯オーディオ機器、ノート型パーソナルコンピュータ、携帯ゲーム機、ディジタルカメラ、携帯電話無線機、携帯型端末（ＰＤＡ）、腕時計、カード媒体等が備えるメディアホルダ（メディア担持体）に、交換可能な状態で担持されて使用されるものである。
【００２８】
コイン型メディアは、コイン形状のモジュール媒体に公知の非接触ＩＣモジュールを埋め込んで形成される。コイン形状のモジュール媒体は、基本的には、メディアホルダに担持できる単純な構造のもので足りるが、例えばメディアホルダ上で露出させた状態で使用する場合には、使用中に離脱しないようにするために、その形状・構造に工夫を要する。本実施形態では、自らの位置が変位するだけでメディアホルダへの係合と離脱とを許容する係合機構を一体に形成する。
【００２９】
この係合機構は、図３（ａ）に例示するメディアホルダ側のメディア係合機構３１に対応したもので、その具体的な構造は、例えば図３（ｂ）上部に示すようになる。すなわち、コイン状のモジュール媒体１０の裏面部に、メディア係合機構３１に係合させることができる突起体１０ａを一体に形成する。使用時には、図３（ｃ）に示すように、モジュール媒体１０をメディア係合機構３１に挿入して回転させて係合させる。離脱させるときは、係合の際の方向と逆方向に回転させる。
【００３０】
なお、図示の構造に代えて、モジュール媒体の外周部の一部に、その厚みが係合方向にテーパ状に変化するヒンジ体を一体に形成するとともに、メディア係合機構を、ヒンジ体の厚みがテーパの終わりに達した時点でモジュール媒体を係合できる構造にすれば、モジュール媒体及びメディアホルダの形状・構造をより簡略化することができる。
また、上記説明は、コイン型メディアの例であるが、プラグ型メディアやその他の形状の固体型メディアの場合も同様の係合機構を形成することで、メディアホルダから容易に離脱しないようにすることができる。図１（ａ）のシート状の非接触ＩＣメディア１１をコイン状モジュール媒体上に貼り付けても上述のコイン型メディアとして使用できることはいうまでもない。
【００３１】
メディアホルダが、汎用のＩＣカードと同一形状のカード媒体の場合であって、固体型メディアを交換自在に担持した状態で、非接触ＩＣカードのほかに接触型ＩＣカードとしても利用したい場合は、非接触ＩＣメディアの表面部に導電部材を蒸着あるいは付着する。この導電部材は、外部電子回路の接点に導通させるためのもので、通常は、無線送受信回路とＩＣ部との接点部分と平列に接続されるようにする。
なお、導電部材は、図１（ａ），（ｂ）に示したシート状の非接触ＩＣメディア１１，１２の表面に蒸着あるいは付着しても良い。
【００３２】
２．非接触リーダライタ
次に、本発明の非接触ＩＣメディアを使用するための、あるいは非接触ＩＣメディアと共に使用して非接触ＩＣメディアに付与された機能と同じ機能を実現するための非接触リーダライタの実施の形態を説明する。
ここでは、非接触ＩＣメディアとして、単純構造、つまり上述の係合機構１０ａを持たないコイン型メディア２０を用いた場合の例を示す。上述のシート状の非接触ＩＣメディア１１も、コイン形状のモジュール媒体に貼り付ければ、コイン型メディア２０として使用することができるものである。
【００３３】
（１）第１実施形態
図４は、非接触リーダライタの第１実施形態の構成図であり、以後の他の非接触リーダライタの基本構成をなすものである。
この非接触リーダライタ４０は、内部用のコイン型メディア２０ｂを担持するためのメディアホルダ４１と外部に存する他のコイン型メディア２０ａとの間にアンテナ４２を介在させている。このアンテナ４２は、通常、非接触リーダライタの筐体蓋部に埋め込まれる。
アンテナ４２には送受信回路４３が接続されており、この送受信回路４３には、制御部４４、電力供給部４７、及びクロック供給部４８が接続されている。電力供給部４７は、送受信回路４３に於いて搬送波に重畳される電力成分を出力するものであり、クロック供給部４８は、同様に、搬送波に重畳される所定周期のクロック成分を出力するものである。
制御部４４は、メモリ（Ｍ）４５からの記録情報の読出制御、メモリ４５への書込制御、送受信回路４３における送受信波のタイミング制御、及び、外部インタフェース（Ｉ／Ｆ）４６を通じて外部電子回路との間の情報の授受の制御を行う。
また、公知のアンチコリジョン方式による複数のコイン型メディアとの間の輻輳を防止する機能をも有している。
【００３４】
各コイン型メディア２０ａ，２０ｂは、少なくとも、アンテナ２１、送受信回路２２、制御回路２３、及びメモリ２４を備えて構成される。
制御回路２３は、非接触リーダライタ４０からアンテナ２１及び送受信回路２２を通じて受けとった電力成分とクロック成分をもとに電源電力及びクロックを生成し、非接触モジュールの動作環境を整える。また、メモリ２４へのデータ書込（「データＩＮ」）及びメモリ２４からのデータ読み出し（「データＯＵＴ」）を制御するとともに、読み出したデータやコマンド類を、送受信回路２２及びアンテナ２１を通じて非接触リーダライタ４０側に送信する。
メモリ２４には、必要に応じて、当該コイン型メディアを識別するための識別データやユーザの固有データ、簡単なアプリケーションプログラム、データ、ディジタルコンテンツ等が記録される。
【００３５】
セキュリティ性が要求される用途に使用する場合は、コイン型メディア２０ｂに、情報処理手段の１つであるプロセッサを設け、また、メモリ２４に、プロセッサが読取可能な暗号鍵及び復号鍵及び暗号アルゴリズムを記録しておく。このようにすれば、非接触リーダライタ４０で当該コイン型メディア２０ｂに付与された機能と同じ機能、つまり暗号機能及び復号機能を実現できるようになる。同様に、コイン型メディア２０ｂのメモリ２４に実行形式のアプリケーションプログラムを記録した場合は、非接触リーダライタ４０でそのアプリケーションプログラムを実行できるようになる。また、アプリケーションプログラムの実行結果をコイン型メディア２０ｂのメモリ２４に記録することもできる。
【００３６】
非接触リーダライタ４０とコイン型メディア２０ａ，２０ｂとの間の情報の送受信は、通常の非接触リーダライタと非接触ＩＣカードと同様の動作環境で実現することが可能である。
例えば、非接触リーダライタ４０からコイン型メディア２０ａ，２０ｂへの情報の送信には、１３．５６［ＭＨｚ］の無線搬送波をＡＳＫ変調した信号、コイン型メディア２０ａ，２０ｂから非接触リーダライタ４０への情報の送信には、１３．５６［ＭＨｚ］の信号を複数合わせた副搬送波（８４７．５／４２３．７［ｋＨｚ]）を負荷変調した信号をそれぞれ用いることができる。非接触リーダライタ４０からコイン型メディア２０ａ，２０ｂへは、データ成分のほかに、クロック成分、電力成分も送られることも従来の非接触ＩＣカードの場合と同様である。
【００３７】
このように構成される非接触リーダライタ４０は、制御部４４により、内部のコイン型メディア２０ｂとアンテナ４２の覆域内にある外部コイン型メディア２０ａの双方の記録領域に対する情報の読出制御及び書込制御を行うことができる。この点は、従来の非接触リーダライタには存在しない機能である。
なお、２つのコイン型メディア２０ａ，２０ｂが同時に存在しても、上述のアンチコリジョン機能が働くほか、各コイン型メディア２０ａ，２０ｂのメモリ２４に記録された識別データやユーザの固有データ等を解読することにより容易に両者を識別することができるので、問題は生じない。
【００３８】
（２）第２実施形態
図５は、上記第１実施形態の変形例となる非接触リーダライタの構成図であり、便宜上、図４と同一機能の要素には、同一符号を付してある。この非接触リーダライタ５０は、アンテナを含む無線送受信系を２系統設け、それぞれ独立して動作させるようにしたものである。
【００３９】
すなわち、外部に存するコイン型メディア２０ａとの間では、アンテナ４２ａ，送受信回路４３ａ，電力供給部４７ａ，クロック供給部４８ａを動作させ、一方、メディアホルダ４１に担持されたコイン型メディアについては、アンテナ４２ｂ，送受信回路４３ｂ，電力供給部４７ｂ，クロック供給部４８ｂを動作させるようにしている。制御部４４は、両者の動作条件を把握しており、外部コイン型メディア２０ａ、及び／又は、担持されたコイン型メディア２０ｂの記録領域に対するディジタル情報の読出制御及び書込制御を選択的に行う。
【００４０】
このような構成の非接触リーダライタ５０では、外部のコイン型メディア２０ａと内部のコイン型メディア２０ｂとの間で、互いに独立している無線送受信系を通じてデータの送受が行われるので、輻輳の問題が生じにくくなる。
【００４１】
（３）第３実施形態
図６及び図７は、複数のコイン型メディア２０を同時にメディアホルダ５１に担持することができる非接触リーダライタ５５，５６の構成図であり、便宜上、図４と同一機能の要素には、同一符号を付してある。
図６は１つのアンテナ４２を用いた場合、図７は２つのアンテナ４２ａ，４２ｂを用いた場合の例である。
【００４２】
図６に示す非接触リーダライタ５５の場合、制御部４４は、複数のコイン型メディア２０との間で、それぞれタイミングをずらしてデータの読出制御又は書込制御を行うか、異なるコマンドを送出してレスポンスが帰ってきたもののみを対象としてデータの読出制御又は書込制御を行う。
このようにすることで、コイン型メディア２０を同時に担持した状態で、複数のアプリケーションプログラムを選択的に実行できるようになる。
【００４３】
図７に示す非接触リーダライタ５６の場合、制御部４４は、一方のアンテナ４２ａと他方のアンテナ４２ｂとで、用途に応じて、互いに異なる条件下でデータの読出制御又は書込制御を行う。
例えば、リアルタイム性が要求される用途ではアンテナ４２ａを用いて高速データ読み出しを行い、
時間よりも高品質性が要求される用途ではアンテナ４２ｂで低速且つ高品質でのデータ読み出しを行うようにする。このようにして、用途に応じた多目的のデータ処理を可能にする。
なお、説明を省略してあるが、それぞれアンテナ４２ａ，４２ｂを通じて外部コイン型メディアとの間でもデータの読出制御又は書込制御を行うことができる。
【００４４】
（４）第４実施形態
図８は、複数のコイン型メディア２０を同一平面上に並べて担持することができるメディアホルダ５２と、これらのコイン型メディア２０との間で１つのアンテナ４２を通じてデータの読出制御又は書込制御を行う非接触リーダライタ５７の構成図である。便宜上、図４と同一機能の要素には、同一符号を付してある。アンテナ４２は、例えば筐体蓋部に、各コイン型メディア２０に対して平行に埋め込まれる。基本的な動作は、図６に示した非接触リーダライタ５５の場合と同様となる。
図９は、図８に示したメディアホルダ５２内に並べられるコイン型メディア２０と同数のアンテナ４２を配置した非接触リーダライタ５８の構成図である。
各アンテナ４２は、筐体蓋部にコイン型メディア２０と平行に埋め込まれる。基本的な動作は、図７に示した非接触リーダライタ５６の場合と同様であるが、個々のアンテナ４２とコイン型メディア２０とを密着させることができ、混信等の発生を図７及び図８の場合よりも少なくすることができる利点がある。
【００４５】
（５）第５実施形態
図１０（ａ）〜（ｄ）は、複数のコイン型メディアのうち特定のものを選択してデータ読み書きの対象とする非接触リーダライタの構造を示した図である。
この非接触リーダライタは、筐体内に変位機構を有する可動型メディアホルダと密着型アンテナを含む無線送受信系とを収容して構成される。
可動型メディアホルダは、図１０（ａ）に示すように、コイン型メディア２０の厚みとほぼ同じ厚みの環状板６１に、コイン型メディア２０と同形状の複数の中空部６２を形成するとともに、その中央部に、自らを同一平面上で回転させるための変位機構６３を固定して構成される。
図１０（ｂ）は、筐体６４内での可動型メディアホルダの位置関係を示した内部構造図、同（ｃ）は筐体６４の上面図、同（ｄ）は非接触リーダライタ６０の側面断面図である。参照符号６１ａは、コイン型メディア２０を中空部６２に収容させたり、離脱させたりするための筐体窓部、６５は密着型のアンテナである。
【００４６】
このような構造の非接触リーダライタ６０では、相異なるディジタル情報、例えばアプリケーションプログラムやセキュリティデータを記録した複数のコイン型メディア２０を中空部６２に収容しておき、使用者が変位機構６３を変位させて所望のコイン型メディア２０を密着型アンテナ６５に近づける。この密着型アンテナ６５を通じて読み出したディジタル情報は、送受信回路６６及び図示しない外部インタフェース回路を通じて外部電子機器に送出される。
このようにして、用途に応じて、該当するコイン型メディア２０を使い分けることができるようになる。
【００４７】
なお、環状板６１は例示であって、他の形状のものでも代用可能であることはいうまでもない。例えば、矩形の板体や扇形の板体等に複数の中空部を配列し、これをギヤ等の変位機構を用いて同一平面上で可逆的にスライドさせて密着型アンテナに近づける構造のものも、本発明の範囲に含まれる。また、密着型アンテナに代えて、指向性をもつアンテナを用いることも可能である。
【００４８】
（６）第６実施形態
図１１（ａ）〜（ｃ）は、複数のコイン型メディアのうち特定のものを選択してデータ読み書きの対象とする他の非接触リーダライタの構造を示した図である。
この非接触リーダライタは、筐体内に、固定型のメディアホルダと、アンテナ及び無線送受信系を含むメディア読み書き機構を搭載した可動型の読み書き機構担持体とを収容して構成される。
【００４９】
メディアホルダは、図１１（ａ）に示すように、コイン型メディア２０の厚みとほぼ同じ厚みの環状板７１に、コイン型メディア２０を収容するための複数の中空部７２を形成したものであり、コイン型メディア２０を担持した後に非接触リーダライタの筐体内の所定位置に装着される。参照符号７３は、環状板７１の中央部に形成された孔である。
【００５０】
図１１（ｂ）は、読み書き機構担持体の構造図である。ここでは、コイン型メディア２０との間でディジタル情報の読み書きを行う機構として、アンテナ、無線送受信回路及びその後続回路をモジュール化したものを用いた場合の例を示す。
読み書き機構担持体は、例えば環状板７１とほぼ同一径の環状板７５の中央部に変位機構７６が形成された支持体を固定し、この支持体を環状板７１の孔７３に摺動自在に挿通させるとともに、環状板７５の中間部に、アンテナを含むモジュール７４を埋め込んで構成される。モジュール７４は、そのアンテナが、環状板７５の回転によって複数のコイン型メディア２０のそれぞれと密接する位置に埋め込まれている。
【００５１】
このような構造の非接触リーダライタ７０は、変位するのがアンテナを含むモジュール７４である点を除き、第５実施形態と同様の使用形態が可能となる。つまり、使用者が変位機構７６を操作することにより、環状板７５が孔７３を支点として回転するようになり、図１１（ｃ）に示すように、モジュール７４のアンテナを、所望のコイン型メディア２０に近づけることができる。
なお、環状板７５も、メディアホルダのものと同様、他の形状のものでも代用可能であることはいうまでもない。また、モジュール７４に代えて、アンテナ及び無線送受信回路のみを環状板７５に埋め込み、後続回路については、環状板７５の回転経路に沿って設けた電気的接点等を通じて、この非接触リーダライタ７０を搭載した電子機器の内部回路に接続させるように構成することもできる。
【００５２】
（７）第７実施形態
図１２（ａ）は、バッテリによって動作する電子機器、例えば携帯電話無線機やＰＤＡ等に搭載される非接触リーダライタの要部構成図である。この非接触リーダライタ８０は、少なくとも、その筐体蓋部に埋め込まれるアンテナ４２と、アンテナ４２に接続される送受信回路４３と、この送受信回路４３の出力側に接続された充電回路８１とを備えて構成される。充電回路８１は、定電圧を後段のリーダライタ機能の構成部品に電源電力を供給するとともに、バッテリＢの充電端子に一定値の電力を安定的に出力する定電圧回路８１１を含んで構成される。
【００５３】
図１２（ｂ）は、電子機器を充電するための充電装置に搭載される非接触リーダライタ８５の要部構成図である。この非接触リーダライタ８５は、その筐体蓋部に埋め込まれるアンテナ４２と、アンテナ４２に接続される送受信回路４３と、商用電力を充電電力に変換するための電力変換回路８６を備えている。この電力変換回路８６は、図４〜図９に示した電力供給部４７，４７ａ，４７ｂに相当するものである。
アンテナ４２及び送受信回路４３は、充電装置用のものと電子機器用のものとを近接させたときに、電子機器側に電磁誘導によって電力を誘起する電磁誘導コイルとして機能する。
使用時には、図１２（ｃ）に示すように、電子機器Ｄ１を充電装置Ｊ１の近くにセットし、充電装置Ｊ１から電子機器Ｄ１側へ非接触リーダライタ８５を通じて充電電力を送る。電子機器Ｄ１側の非接触リーダライタ８０では、アンテナ４２及び送受信回路４３で誘起された電力を充電回路８１に入力する。充電回路８１は、定電圧回路８１１で誘起電力をバッテリＢの定格電圧よりも高い一定値に安定化させ、この電力をバッテリＢに供給する。これにより電子機器Ｄ１のバッテリＢが充電される。
【００５４】
電子機器Ｄ１には、通常、専用の充電装置が用意されており、電子機器を充電装置の所定位置にセットして接点同士を接触させることによって充電が可能になる。従って、機種や形状等が異なると充電装置が使えない。しかし、本実施形態では、機種や形状等を問わないバッテリ充電が可能になる。
【００５５】
（８）第８実施形態
本発明の非接触リーダライタは、例えばＰＣカードのようなカード媒体に搭載して使用することもできる。例えば、図１３（ａ）にその外観を示したＰＣカード９０は、筐体内部に非接触リーダライタ９１を収容し、表面部にコイン型メディア２０を離脱自在に担持するためのメディアホルダ９２を形成している。図１３（ｂ）のように、ＰＣカード９４の内部空間９３に、複数のコイン型メディア２０を担持するためのメディアホルダ９６をもつ非接触リーダライタ９５を装着するように構成しても良い。コイン型メディア２０には、アプリケーションプログラムやデータを記録しておく。
【００５６】
ＰＣカード９０，９４は、図１３（ｃ）に示されるように、パーソナルコンピュータ等のカードスロット９７に装着して使用されるが、その使用の態様は、担持されるコイン型メディア２０の種類によって異なる。例えば、コイン型メディア２０をパーソナルコンピュータＰＣのリムーバブル記録装置として使用したり、パーソナルコンピュータＰＣに読み取られて実行されるプログラムコードの記録媒体として使用したり、外部電子機器から読み取った電子データの伝達媒体として使用することができる。通信機能を有するＰＣカードの場合は、コイン型メディア２０に通信環境データを保存するような使用形態が可能である。
【００５７】
また、図１４に示すように、ディジタルカメラＤＣの画像記録カードとして使用することもできる。すなわち、カード状のメディアホルダ９８にコイン型メディア２０を挿入し、撮影データをこのコイン型メディア２０に記録させる。その後、このメディアホルダ９８をディジタルカメラＤＣのカードスロット９９に挿入し、画像データの保存等を行う。このメディアホルダ９８をフォトラボ等に提示することにより、記録画像を印画紙に出力させたり、高解像度プリンタに出力したりすることも可能になる。
【００５８】
（９）第９実施形態
本発明の非接触ＩＣリーダライタは、コイン型メディア２０，２０ａ，２０ｂへのディジタル情報（プログラムコード、データ等）の読み出し及び書き込みのほか、読み出したディジタル情報に基づく情報処理を実行するように構成することもできる。
具体的には、ディジタル情報を読み出して実行するプロセッサ及び所要のプログラム等を記録したメモリを備える。プロセッサ及びメモリは、ＩＣチップ化して筐体内に収容しておくと良い。プロセッサによる情報処理結果は、この非接触ＩＣリーダライタを搭載した電子機器のディスプレイ等に出力されるほか、ディジタル情報の読み出し元に記録させるようにする。
このように構成される非接触ＩＣリーダライタは、プロセッサによって内部だけで情報処理を行うことができるので、これを搭載する電子機器側の設計変更の範囲を小さくすることができる。
また、コイン型メディアに記録されたディジタル情報に基づいて当該コイン型メディアに付与された機能と同じ機能を実現することも容易になる。
【００５９】
３．携帯通信装置
次に、上記非接触リーダライタを搭載した携帯通信装置の実施形態を説明する。ここでは、携帯電話無線機の例を挙げるが、本発明をこの例に限定する趣旨ではない。また、携帯電話無線機は、狭義の携帯電話のほか、ＰＨＳ、携帯トランシーバ、自動車電話等も含むものとする。
【００６０】
まず、前述の非接触リーダライタ４０、５０、５５、５６、５７、５８を搭載した携帯電話無線機について説明する。これらの非接触リーダライタは、そのまま携帯電話無線機に内蔵させても良いが、ここでは一体に搭載した携帯電話無線機の例を挙げる。
【００６１】
図１５は、図４又は図５に示した非接触リーダライタ４０／５０を筐体内に一体に搭載した携帯電話無線機１１０の外観斜視図である。この携帯電話無線機１１０の背面下部には、コイン型メディア２０を担持するためのメディアホルダ１１１とその蓋部１１２が形成されている。アンテナは筐体の蓋部１１２に埋め込まれており、この蓋部１１２を閉めたときに、コイン型メディア２０と平行となる。
【００６２】
このように構成される携帯電話無線機１１０では、コイン型メディア２０を例えばＳＩＭ（Subscriber Identity Module）として使用することができる。ＳＩＭには、加入者識別ＩＤを記録しておく。これにより、携帯電話無線機１１０に買い換えたり、用途によって携帯電話無線機１１０を使い分ける場合に、ＳＩＭを差し替えるだけで済むようになる。また、ＳＩＭを差し替えることで、様々な携帯電話無線機を通じて同一のサービスを受けることが可能になる。つまり、携帯電話無線機を公衆電話的に使用することが可能になる。
【００６３】
また、図１６に示すように、メディアホルダ１１１に担持されたコイン型メディア２０ｂのほか、外部に存在する非接触ＩＣカードＩＣＣ、コイン型メディア２０ａ、その他の形状の非接触ＩＣメディア２０ａ’の双方の記録領域に対するディジタル情報の読出及び書込を行うことができるので、内部のコイン型メディア２０に記録したセキュリティ情報を用いて外部の非接触ＩＣカードＩＣＣやコイン型メディア２０その他のシステムにアクセスする実施の形態も可能になる。第９実施形態のように、非接触リーダライタにプロセッサ等を備え、内部のコイン型メディアに記録されたセキュリティ情報やプログラムコードを読み出して所要の情報処理を実行する場合は、その処理結果をそのコイン型メディア２０に記録させることもできる。例えば、携帯電話無線機１１０をＰＯＳ端末、自動販売機、携帯決済端末等にかざして電子決済処理を行い、その結果をコイン型メディアに記録しておくような形態が可能である。
【００６４】
この携帯電話無線機１１０で実現できるその他のアプリケーションとしては、ギフトカード、ノベルティカード、乗車券カード、テレフォンカード等のプリペイドカードとするものが挙げられる。また、携帯電話無線機１１０をプリペイドカードにかざすことによりプリペイドバリューを内部に取り込んで電子決済を行う用途に適用することも可能である。
携帯電話無線機１１０自体で、コイン型メディア２０のメモリ領域に名前、住所を書き込み、このコイン型メディア２０を電子名刺として活用することもできる。また、相手の電子名刺に携帯電話無線機１１０をかざすだけで、その電子名刺へのデータの読み書きを行えるようにし、利便性が高めることも可能である。さらに、コイン型メディアの１つに自動車の所有者の識別データやキー情報を記録して携帯電話無線機１１０を電子キーとして使用したり、他のコイン型メディアに自動車の走行状況を記録して運航履歴の解析に利用したりすることもできる。
【００６５】
また、図１７に示すように、携帯電話無線機１１０同士を近接させて、互いのコイン型メディア２０ｂの記録情報を交換することも可能になる。
【００６６】
コイン型メディア２０は、１つのみならず、複数を同時に担持することができる。図１８は、複数のコイン型メディア２０を積み重ねることができるメディアホルダ１２１をもつ携帯電話無線機１２０の断面図である。
アンテナ４２は、蓋部１２２に埋め込まれる。この携帯電話無線機１２０は、図６に示した非接触リーダライタ５５を一体に搭載したものである。図１９は、図７に示した非接触リーダライタ５６を一体に搭載した携帯電話無線機１３０の断面図であり、アンテナ４２ａは筐体蓋部１３２、アンテナ４２ｂは、メディアホルダ１３１の底部１３３に埋め込まれる。図２０は図８に示した非接触リーダライタ５７を一体に搭載した携帯電話無線機１４０の断面図、図２１は図９に示した非接触リーダライタ５８を一体に搭載した携帯電話無線機１５０の断面図である。アンテナ４２は、メディアホルダ１４１，１５１に対応する蓋部１４２，１５２に埋め込まれ、閉められたときに、それぞれコイン型メディア２０と平行に密着するようになっている。
なお、図１０又は図１１に示した構造をもつ非接触リーダライタ６０，７０を、携帯電話無線機内に一体に設けることも可能である。
【００６７】
携帯電話無線機１１０〜１５０は、ディスプレイや音生成機構を備えているのが通常である。そこで、第９実施形態で示したプロセッサ等を含むチップを搭載し、複数のコイン型メディア２０から読み出したディジタル情報をもとに所要の情報処理を実行できるようにする。
【００６８】
プロセッサは、メモリに記録されたプログラムコードを実行することにより、音源データに基づいて音を再生させる音源コントローラと、画像データに基づいてディスプレイに画像を表示させる表示コントローラとを形成する。コイン型メディア２０の１つには音源データを記録しておき、他のコイン型メディア２０には、音源データに連携して出力される画像データを記録しておく。そして、音源データを読み出して音源コントローラで音生成機構に音を再生させ、音源データに同期して読み出した画像データに基づいてディスプレイに画像を表示させる。このように構成される携帯電話無線機１１０〜１５０は、コイン型メディア２０を適宜交換して使用することで、文字データをディスプレイ表示させてその文字データに対応する音声やＢＧＭ（バック・グラウンド・ミュージック）を受話器やイヤホンで聞く形態が可能である。
例えば携帯電話無線機を「携帯カラオケマシン」として使用させることも可能となる。すなわち、ディスプレイに歌詞を表示させてメロディをイヤホンで聞きながら歌を歌い、歌った内容を録音することも可能である。
なお、文字データの表示のみ、あるいは音源データに基づく音生成のみの実施の形態も可能である。
以上の説明は、携帯電話無線機についてであるが、パーソナルコンピュータ、携帯端末（ＰＤＡ）、携帯オーディオ機器等についても同様に本発明を適用することができる。
【００６９】
４．情報伝達システム
次に、本発明を適用した情報伝達システムの実施の形態を説明する。
ここでは、上述の非接触ＩＣメディアと携帯通信装置を用いて情報伝達を行う場合の例を挙げる。携帯通信装置としては、例えば携帯電話無線機１１０を用いる。この携帯電話無線機１１０は、上記のプロセッサ等を内蔵した非接触リーダライタを搭載しているものである。非接触リーダライタを使用する場合は、携帯電話無線機１１０の操作ボタンの１つに、該当する機能を割り当てておく。
【００７０】
（１）定期刊行記事発行システム
新聞、週刊誌、月刊誌のような記事を、定期的に更新しながらディジタル情報に変換してユーザに提供するシステムであり、図２２は、その構成図である。ここにいうディジタル情報は、文字データ、画像データ、ディジタルコンテンツ等であり、必要に応じて音源データも含まれる。このディジタル情報を記録するための非接触ＩＣメディアとしては、便宜上、上述のコイン型メディア２０を用いるが、シート状のメディアであっても良いことはいうまでもない。
【００７１】
この定期刊行記事発行システム２００は、コイン型メディア２０を交換自在に担持する携帯電話無線機２１０と、メディア発行装置２２０とを含んで構成される。
メディア発行装置２２０は、ディスプレイ２２１，データ入力装置２２２，金銭投入機構２２３、入出力インタフェース２２４、記事データベースＤＢ、メディア発行機構２２９を備え、さらに、内部プロセッサが所定のプログラムコードを読み込んで実行することによって形成されるメニュー表示部２２５，記事特定部２２６，データベース管理部２２７，情報記録部２２８の機能ブロックを備えている。
【００７２】
メニュー表示部２２５は、自装置が扱っている刊行記事を案内するためのメニュー画面を入出力インタフェース２２４を通じてディスプレイ２２１に表示させる。データ入力装置２２２は、刊行記事の選択情報を入力するものである。記事特定部２２６は、データ入力装置２２２からの特定記事の選択情報と、金銭投入機構２２３からの金銭投入情報（価値情報）を受信したときに、その刊行記事を特定するための情報をデータベース管理部２２７に通知する。データベース管理部２２７は、この情報に基づいて記事データベースＤＢからディジタル情報を読み出し、これを情報記録部２２８に渡す。情報記録部２２８は、このディジタル情報をコイン型メディア２０に記録して発行する。
【００７３】
メニュー画面には、金額に応じた種類及び内容の刊行記事の案内情報が表示され、ユーザが、データ入力装置２２２を通じてそれを任意に選択できるようになっている。記事データベースＤＢの内容は、例えば外部システムから送られるデータをもとに、データベース管理部２２７によって定期的に更新される。更新対象となる刊行記事は、新聞であれば毎日、週刊誌であれば毎週、月刊誌であれば毎月更新される。
ユーザはディジタル情報が記録されたコイン型メディア２０をメディア発行装置２２０より購入して携帯電話無線機２１０のメディアホルダに入れ、操作ボタンを押して、記録情報をディスプレイ２１１に表示させる。コイン型メディア２０に音源データも記録されている場合は、受話器やイヤホンでその内容を聞く。
なお、本発明の情報伝達システムは、定期刊行記事情報のほか、ディジタルコンテンツを定期的又は不定期に発行するシステムに適用することができる。
【００７４】
（２）情報案内システム
住所、郵便番号、地図や地図コード、地域案内、施設案内、時刻表、営業案内等をディジタル情報化して非接触ＩＣメディアに記録し、これを撥水性のプレートに埋め込んで該当場所に設置又は貼り付ける。そして、少なくとも画像コントローラを有する本発明の非接触リーダライタを搭載した携帯通信装置、例えば携帯電話無線機を用いてプレートから該当情報を読み出し、これをディスプレイに表示させる。プレートの設置場所は、例えば、「住所等」は建物や電柱、「地図や地図コード」は住所表示板、「地域案内」は建物外壁、「施設案内」はその施設出入口、「時刻表」は駅のホームの壁面、「営業案内」は店舗や事業所の出入口とする。
【００７５】
ユーザは、該当する操作ボタンを押して携帯電話無線機をこれらのプレートにかざす。これにより、携帯電話無線機のリーダライタ機能が働いてディジタル情報を読み出し、可視化してディスプレイに表示させる。
【００７６】
なお、複数の非接触ＩＣメディアを、案内情報が描かれた同一の案内パネルに埋め込んだり、貼り付けておくようにすることもできる。また、非接触リーダライタを内蔵したゲートをコンサートやスポーツ会場のゲートに設置しておき、ユーザが携帯電話無線機をゲートにかざすだけで、会場案内情報を配信したりするサービスも可能になる。
【００７７】
【発明の効果】
以上の説明から明らかなように、本発明によれば、非接触ＩＣメディアを用いてより多くの付加価値を付けることができる応用システムを提供することができる。
【図面の簡単な説明】
【図１】  （ａ）は、円形の非接触ＩＣメディアが複数形成されたシートの正面図、（ｂ）は、プラグ型の非接触ＩＣメディアを複数形成したシートの正面図である。
【図２】  スティック型の非接触ＩＣメディアの外観斜視図である。
【図３】  自らの位置が変位するだけでメディアホルダへの係合と離脱とを許容する係合機構の説明図であり、（ａ）はメディアホルダ側のメディア係合機構の正面図、（ｂ）はモジュール媒体側の係合機構の説明図、（ｃ）は使用状態を示す説明図である。
【図４】  非接触リーダライタの第１実施形態の構成図である。
【図５】  非接触リーダライタの第２実施形態の構成図である。
【図６】  非接触リーダライタの第３実施形態の構成図であり、アンテナが１つの場合の例である。
【図７】  非接触リーダライタの第３実施形態の構成図であり、アンテナが２つの場合の例である。
【図８】  非接触リーダライタの第４実施形態の構成図であり、アンテナが１つの場合の例である。
【図９】  非接触リーダライタの第４実施形態の構成図であり、アンテナがコイン型メディアと同数の場合の例である。
【図１０】  非接触リーダライタの第５実施形態の構成図であり、（ａ）〜（ｄ）は、複数のコイン型メディアのうち特定のものを選択してデータ読み書きの対象とする非接触リーダライタの構造を示した図である。
【図１１】  非接触リーダライタの第６実施形態の構成図であり、（ａ）〜（ｃ）は、複数のコイン型メディアのうち特定のものを選択してデータ読み書きの対象とする非接触リーダライタの構造を示した図である。
【図１２】  非接触リーダライタの第７実施形態の構成図であり、（ａ）はバッテリによって動作する携帯電話無線機に搭載される非接触リーダライタの要部構成図、（ｂ）は、充電装置に搭載される非接触リーダライタの要部構成図、（ｃ）は充電時の使用状態説明図である。
【図１３】  非接触リーダライタの第８実施形態の構成図であり、（ａ），（ｂ）は、非接触リーダライタが搭載されるＰＣカードの構造を示した図、（ｃ）はそのＰＣカードの使用形態の説明図である。
【図１４】  非接触リーダライタを搭載したディジタルカメラの画像記録カードの使用状態を示した説明図である。
【図１５】  図４又は図５に示した非接触リーダライタを一体に搭載した携帯電話無線機の外観斜視図である。
【図１６】  携帯電話無線機の使用形態の一例を示した概念説明図である。
【図１７】  携帯電話無線機の他の使用形態を示した概念説明図である。
【図１８】  複数のコイン型メディアを積み重ねることができる非接触リーダライタを搭載した携帯電話無線機の断面図である。
【図１９】  複数のコイン型メディアを積み重ねることができ、且つアンテナを複数備えた非接触リーダライタを搭載した携帯電話無線機の断面図である。
【図２０】  複数のコイン型メディアを並列に並べることができ、且つアンテナが１つの非接触リーダライタを搭載した携帯電話無線機の外観斜視図である。
【図２１】  複数のコイン型メディアを並列に並べることができ、且つアンテナがコイン型メディアと同数の非接触リーダライタを搭載した携帯電話無線機の外観斜視図である。
【図２２】  新聞、週刊誌、月刊誌のような記事を、定期的に更新しながらディジタル情報に変換してユーザに提供するシステムの構成図である。
【符号の説明】
１ａ，１ｂ  非接触ＩＣモジュールを埋め込んだシート
１ｃ        非接触ＩＣモジュールを埋め込んだスティック媒体
１０，１１，１２，１３，２０，２０ａ，２０ａ’，２０ｂ  非接触ＩＣメディア
１０ａ  メディア側の係合機構
３１  メディア担持体側のメディア係合機構
２１，４２，４２ａ，４２ｂ，６５  アンテナ
２２，４３，４３ａ，４３ｂ，６６  送受信回路
２３，４４  制御部
２４，４５  メモリ
４０，５０，５５〜５８，６０，７０，８０，８５,９１，９５，９８  非接触リーダライタ
４１，５１，５２，６１，７１  メディア担持体
４６  外部インタフェース回路
４７，４７ａ，４７ｂ  電力供給部
４８，４８ａ，４８ｂ  クロック供給部
６３，７６  変位機構
８１  充電回路
１１０〜１５０，２１０  携帯電話無線機
２００  定期刊行記事発行システム
２２０  メディア発行装置
２２３  金銭投入機構
２２４  入出力インタフェース
２２５  メニュー表示部
２２６  記事特定部
２２７  データベース管理部
２２８  情報記録部
２２９  メディア発行機構
ＤＢ    記事データベース
ＩＣＣ  非接触ＩＣカード
Ｄ１    非接触リーダライタを搭載した電子機器
Ｊ１    電子機器の充電装置
【図１】
0004223739.tif 000002
【図２】
0004223739.tif 000003
【図３】
0004223739.tif 000004
【図４】
0004223739.tif 000005
【図５】
0004223739.tif 000006
【図６】
0004223739.tif 000007
【図７】
0004223739.tif 000008
【図８】
0004223739.tif 000009
【図９】
0004223739.tif 000010
【図１０】
0004223739.tif 000011
【図１１】
0004223739.tif 000012
【図１２】
0004223739.tif 000013
【図１３】
0004223739.tif 000014
【図１４】
0004223739.tif 000015
【図１５】
0004223739.tif 000016
【図１６】
0004223739.tif 000017
【図１７】
0004223739.tif 000018
【図１８】
0004223739.tif 000019
【図１９】
0004223739.tif 000020
【図２０】
0004223739.tif 000021
【図２１】
0004223739.tif 000022
【図２２】
0004223739.tif 000023